(57)【要約】【課題】スリーブの加工コストを低減できると共に、スリーブと自動車補機の回転軸との組付けの信頼性を向上させることができる一方向クラッチ内蔵型プーリ装置を提供する。【解決手段】一方向クラッチ内蔵型プーリ装置１０では、スリーブ１１の内周面は回転軸３０と嵌合可能で、スリーブ１１と回転軸３０はナット３１によって固定可能であり、且つ、スリーブ１１の内周面は、回転軸３０が内嵌可能な円筒孔部１１ａと、回転軸３０とスリーブ１１とを固定するための工具４０が係止可能な工具孔部１１ｂとからなる。【選択図】図１
2007198537.tif 000002
【特許請求の範囲】
【請求項１】
自動車補機の回転軸に固定自在なスリーブと、
該スリーブの周囲に該スリーブと同心に配置されるプーリと、
前記スリーブの外周面と前記プーリの内周面との間に配置される一方向クラッチと、
を備える一方向クラッチ内蔵型プーリ装置であって、
前記スリーブの内周面は前記回転軸と嵌合可能で、前記スリーブと前記回転軸は結合用部材によって固定可能であり、且つ、
前記スリーブの内周面は、前記回転軸が内嵌可能な円筒孔部と、前記回転軸と前記スリーブとを固定するための工具が係止可能な工具孔部とからなることを特徴とする一方向クラッチ内蔵型プーリ装置。
【請求項２】
自動車補機の回転軸に固定自在なスリーブと、
該スリーブの周囲に該スリーブと同心に配置されるプーリと、
前記スリーブの外周面と前記プーリの内周面との間に配置される一方向クラッチと、
を備える一方向クラッチ内蔵型プーリ装置であって、
前記スリーブの内周面は前記回転軸と嵌合可能で、前記スリーブと前記回転軸は結合用部材によって固定可能であり、且つ、
前記スリーブの内周面は、前記回転軸が内嵌可能な円筒孔部と、前記結合用部材が内嵌可能な結合用部材嵌合孔とからなることを特徴とする一方向クラッチ内蔵型プーリ装置。
【発明の詳細な説明】
【技術分野】
【０００１】
本発明は、一方向クラッチ内蔵型プーリ装置に関するものであり、特に、エンジンのクランク軸の動力によって駆動されるオルタネータ等の補機類の入力軸や、逆に、エンジンのクランク軸に動力を与えるスタータモータの出力軸に使用される一方向クラッチ内蔵型プーリ装置に関するものである。
【背景技術】
【０００２】
一般に、オルタネータ等、自動車補機の回転軸の端部には従動プーリが固定されており、エンジンのクランク軸の端部に固定された駆動プーリとの間に無端ベルトが掛け渡され、補機を駆動するために利用されている。また、従動プーリとしては、無端ベルトの走行速度が一定もしくは上昇傾向にある場合に、無端ベルトから回転軸への動力の伝達を自在とし、無端ベルトの走行速度が低下傾向にある場合に、従動プーリと回転軸との相対回転を自在とするよう、一方向クラッチを内蔵したプーリ装置が知られている（例えば、特許文献１及び２参照。）。
【０００３】
例えば、図６に示すように、自動車補機Ａに組み込まれる一方向クラッチ内蔵型プーリ装置１００は、エンジンのクランク軸に固定された駆動プーリからの駆動ベルトが掛け渡されるプーリ１０１と、自動車補機Ａの回転軸１１０に固定されるスリーブ１０２とを備え、プーリ１０１とスリーブ１０２との間に、一方向クラッチ１０３及び一対のサポート軸受１０４が配置されている。
【０００４】
そして、プーリ１０１の回転角速度が自動車補機Ａの回転軸１１０の回転角速度より速い場合には、一方向クラッチ１０３のローラのくさび作用によって、プーリ１０１とスリーブ１０２とが相対回転不能(ロック状態)になり、エンジンの回転力が自動車補機Ａの回転軸１１０に伝達される。一方、速度変動や微小角速度変動等、プーリ１０１の回転角速度が自動車補機Ａの回転軸１１０の回転角速度より遅い場合には、プーリ１０１とスリーブ１０２との相対回転が自在(オーバーラン状態)となる。従って、クランク軸の回転角速度が変動した場合でも、一方向クラッチ１０３の作用により、無端ベルトとプーリ１０１が擦れ合うことが防止され、鳴きと呼ばれる異音の発生や摩耗による無端ベルトの寿命低下を防止すると共に、自動車補機Ａへの動力伝達効率が低下することを防止できる。
【０００５】
また、自動車補機Ａの回転軸１１０を固定するスリーブ１０２の内周面には、回転軸をがたつきなく嵌合するための円筒孔部１０２ａと、回転軸１１０の雄ねじ部１１０ａと螺合固定するための雌ねじ部１０２ｂと、スリーブ１０２と回転軸１１０とを固定するため工具１１２（図７参照。）が係止可能な断面形状が六角形の工具用孔部１０２ｃとが形成されている（例えば、特許文献１参照。）。
【０００６】
さらに、図８に示す一方向クラッチ内蔵型プーリ装置１００’のように、他のスリーブ１０２’の内周面としては、回転軸１１０をがたつきなく嵌合するための円筒孔部１０２ａ’のみを形成して、スリーブ１０２’から突出する回転軸１１０の軸端の雄ねじ部１１０ａにナット１１１を螺合するようにしている（例えば、特許文献２参照。）。
【特許文献１】特許第２９３５４５０号公報
【特許文献２】特開平１１−２７０６５８号公報
【発明の開示】
【発明が解決しようとする課題】
【０００７】
ところで、図６に示すように、スリーブ１０２の内周面には、円筒孔部１０２ａ、雌ねじ部１０２ｂ、及び工具掛け部１０２ｃがそれぞれ形成されているため、各部を形成するための加工ステップがそれぞれ必要となり、加工コストが嵩むという問題がある。
【０００８】
また、図７に示すように、一方向クラッチ内蔵型プーリ装置１００を自動車補機Ａの回転軸１１０に組付ける際には、スリーブ１０２の内周孔部１０２ａをガイドとするが、この円筒孔部１０２ａの軸方向長さが十分に長くない、即ち、円筒孔部１０２ａの長さが雄ねじ部１０２ｂの長さより長くないと、スリーブ１０２と回転軸１１０の軸心が合わないまま、つまり、回転軸１１０に対してスリーブ１０２が傾いたままスリーブ１０２の雌ねじ部１０２ｂと回転軸１１０の雄ねじ部１１０ａが締め込まれる可能性がある。
【０００９】
さらに、図８に示すような構成では、回転軸１１０の雄ねじ部１１０ａおよびナット１１１がスリーブ１０２’の外側に突出するため、プーリ装置１００’が軸方向に大きくなると共に、万一ナット１１１が緩んだ場合には動力が伝達されない可能性がある。
【００１０】
本発明は、上述したような事情に鑑みてなされたものであり、その目的は、スリーブの加工コストを低減できると共に、スリーブと自動車補機の回転軸との組付けの信頼性を向上させることができる一方向クラッチ内蔵型プーリ装置を提供することにある。
【課題を解決するための手段】
【００１１】
本発明の上記目的は、下記の構成により達成される。
（１）  自動車補機の回転軸に固定自在なスリーブと、
スリーブの周囲にスリーブと同心に配置されるプーリと、
スリーブの外周面とプーリの内周面との間に配置される一方向クラッチと、
を備える一方向クラッチ内蔵型プーリ装置であって、
スリーブの内周面は回転軸と嵌合可能で、スリーブと回転軸は結合用部材によって固定可能であり、且つ、
スリーブの内周面は、回転軸が内嵌可能な円筒孔部と、回転軸とスリーブとを固定するための工具が係止可能な工具孔部とからなることを特徴とする一方向クラッチ内蔵型プーリ装置。
（２）  自動車補機の回転軸に固定自在なスリーブと、
スリーブの周囲にスリーブと同心に配置されるプーリと、
スリーブの外周面とプーリの内周面との間に配置される一方向クラッチと、
を備える一方向クラッチ内蔵型プーリ装置であって、
スリーブの内周面は回転軸と嵌合可能で、スリーブと回転軸は結合用部材によって固定可能であり、且つ、
スリーブの内周面は、回転軸が内嵌可能な円筒孔部と、結合用部材が内嵌可能な結合用部材嵌合孔とからなることを特徴とする一方向クラッチ内蔵型プーリ装置。
【発明の効果】
【００１２】
本発明によれば、スリーブの内周面は、回転軸が内嵌可能な円筒孔部と、回転軸とスリーブとを固定するための工具が係止可能な工具孔部とからなるので、スリーブはシンプルな構成となり、加工コストを低減することができる。また、スリーブと回転軸は結合用部材によって固定可能で、スリーブの内周面に雌ねじ部を持たない形状であるので、組付けの際、スリーブと回転軸との軸心を合わせやすく、組付けの信頼性を向上させることができる。
【発明を実施するための最良の形態】
【００１３】
以下、本発明の一実施形態に係るプーリ装置について図面を参照して詳細に説明する。
【００１４】
（第１実施形態）
図１は、第１実施形態の自動車補機用一方向クラッチ内蔵型プーリ装置を説明するための縦断面図である。図１に示されるように、本実施形態の一方向クラッチ内蔵型プーリ装置１０は、オルタネータ等の自動車補機Ａを駆動するためのもので、補機Ａの回転軸３０が内嵌されるスリーブ１１を有する。スリーブ１１の周囲には、外周面にベルト溝１２ａが形成されたプーリ１２がスリーブ１１と同心に配置されている。また、スリーブ１１の外周面とプーリ１２の内周面との間で、この間に形成される環状空間の軸方向中間部には、一方向クラッチ１３が配置されており、上記環状空間の軸方向両端部、即ち、一方向クラッチ１３の軸方向両側には、例えば、深溝玉軸受等の玉軸受である一対のサポート軸受１４が配設されている。なお、ベルト溝１２ａの形状は、Ｖ溝、ポリＶ溝、歯型溝等の任意の形状に設計可能である。
【００１５】
一方向クラッチ１３は、プーリ１２がスリーブ１１に対して所定方向に相対回転する傾向となる場合にのみプーリ１２からスリーブ１１への回転力を伝達する。また、一対のサポート軸受１４は、プーリ１２に加わるラジアル荷重を支承しつつ、スリーブ１１とプーリ１２との相対回転を可能とする。
【００１６】
各サポート軸受１４は、スリーブ１１の外周面に外嵌される内輪１５と、プーリ１２の内周面に内嵌される外輪１６と、内輪１５と外輪１６の両軌道面間に配置された転動体である複数の玉１７と、玉１７を転動自在に保持する保持器１８と、外部からの異物の浸入や内部からのグリース等の潤滑剤の漏洩を防止するシール部材１９を有している。
【００１７】
一方向クラッチ１３は、プーリ１２の内周面に圧入固定されるクラッチ外輪２０と、スリーブ１１の大径部の外周面に圧入固定されるクラッチ内輪２１と、クラッチ外輪２０とクラッチ内輪２１との間に回動自在に配設された係合子である複数のローラ２２とを備えている。クラッチ内輪２１の外周面は、ローラ２２が転接する複数の凹状のランプ面２１ａが円周方向に所定の間隔で設けられたカム面を形成する。ローラ２２は、各ランプ面２１ａとクラッチ外輪２０の内周面に形成された円筒面２０ａとから構成される楔空間に回転自在に保持されている。
【００１８】
また、一方向クラッチ１３は、各ローラ２２を個別に収容する複数のポケットを有するクラッチ保持器２３と、各ローラ２２をロック方向に弾性的に押圧する弾性部材であるばね２４とを備えている。
【００１９】
上記のように構成される一方向クラッチ内蔵型プーリ装置１０では、プーリ１２の回転角速度が、例えば自動車補機Ａの回転軸３０の回転角速度より速い場合には、一方向クラッチ１３のローラ２２がくさび作用によってクラッチ内輪２１のランプ面２１ａとクラッチ外輪２０の円筒面２０ａとの間に噛み込まれて、プーリ１２とスリーブ１１とが相対回転不能(ロック状態)となり、エンジンの回転力が自動車補機Ａの回転軸３０に伝達される。一方、プーリ１２の回転角速度が自動車補機Ａの回転角速度より遅い場合には、ローラ２２の噛み込みが解除されて、プーリ１２とスリーブ１１との相対回転が自在(オーバーラン状態)となる。
【００２０】
また、上記のプーリ装置１０において、スリーブ１１の内周面には、回転軸３０をがたつきなく嵌合するための円筒孔部１１ａと、スリーブ１１と回転軸３０とを固定するため工具４０が係止可能で、且つ、回転軸３０の軸端に形成された雄ねじ部３０ａに螺合する結合用部材であるナット３１の外周面と嵌合可能な、断面形状が六角形の工具用孔部１１ｂとが形成されている。
【００２１】
一方、スリーブ１１に固定される自動車補機Ａの回転軸３０は、その端部にスリーブ１１の円筒孔部１１ａに嵌合する嵌合部３０ａと、この嵌合部３０ａの先端に形成される雄ねじ部３０ｂとを有する。嵌合部３０ａは、ナット３１がスリーブ１１の円筒孔部１１ａの端面と当接して締結を完了するように、円筒孔部１１ａの軸方向長さ以下の長さを有する。
【００２２】
従って、このように形成されたスリーブ１１を有する一方向クラッチ内蔵型プーリ装置１０を自動車補機Ａの回転軸３０に固定する際には、まず、図２に示すように、スリーブ１１の円筒孔部１１ａをガイドとして、スリーブ１１を回転軸３０に挿入する。このとき、スリーブ１１の内周面に回転軸３０の雄ねじ部３０ｂに干渉する部分がないため、円筒孔部１１ａの軸方向寸法は回転軸３０の雄ねじ部３０ｂの長さに影響されず、雄ねじ部３０ｂより短い形状であっても円滑に挿入し、スリーブ１１と回転軸３０の軸心を合わせることができる。その後、スリーブ１１の内周面に反自動車補機側からナット３１を挿入し、さらに、工具を挿入する。
【００２３】
次に、図３に示すように、工具４０を矢印方向Ｘ１に回転させることによって、工具４０の回転力がスリーブ１１の工具孔部１１ｂを介してナット３１に伝達され、ナット３１が矢印方向Ｘ２に進み、回転軸３０の雄ねじ部３０ｂと螺合する。
【００２４】
そして、図４に示すように、ナット３１がスリーブ１１の円筒孔部１１ａの端面まで締め込まれ、図５に示すように、工具４０を取り外すことで、組付けが完了する。
【００２５】
従って、本実施形態の一方向クラッチ内蔵型プーリ装置１０によれば、スリーブ１１の内周面は、回転軸３０が内嵌可能な円筒孔部１１ａと、回転軸３０とスリーブ１１とを固定するための工具４０が係止可能な工具孔部１１ｂとのみからなるので、スリーブ１１はシンプルな構成となり、加工コストを低減することができる。また、スリーブ１１と回転軸３０はナット３１によって固定可能で、スリーブ１１の内周面に雌ねじ部を持たない形状であるので、組付けの際、スリーブ１１と回転軸３０との軸心を合わせやすく、組付けの信頼性を向上させることができる。また、ナット３１は市販のものを適用することができ、低コストでプーリ装置１０を自動車補機Ａに組付けできる。
【００２６】
なお、本発明は、前述した実施形態に限定されるものではなく、適宜、変形、改良等が可能である。
【００２７】
本実施形態では、スリーブ１１の工具孔部１１ｂの断面形状を結合用部材であるナット３１及び工具４０である六角レンチの形状に合わせて六角形としているが、スプライン形状等、結合用部材が嵌合し、且つ、工具が係止可能な形状であればよい。
【００２８】
結合用部材の軸方向長さは、ベルト荷重によって一方向クラッチやサポート軸受の動作に影響しない程度のものであればよい。また、図９に示すように、スリーブ１１の内周面を、回転軸３０が内嵌可能な円筒孔部１１ａと、結合用部材であるナット３１が内嵌可能な結合用部材嵌合孔１１ｂ’とし、ナット３１の軸方向長さを結合用部材嵌合孔１１ｂより長い構成とすることで、反自動車補機側のベルト荷重をナット３１を介して支承するようにしてもよい。この場合、工具４０はナット３１を直接回転させて、ナット３１と共にスリーブ１１を回転させながら、ナット３１を回転軸３０の雄ねじ部３０ｂに螺合させる。
【００２９】
本発明の一方向クラッチは、スリーブとプーリとの間で回転力を伝達するものであればよく、本実施形態のように、プーリがスリーブに対して所定の方向に相対回転する傾向となる場合にのみ、回転力を伝達する一方向クラッチでもよいし、クラッチ内輪の外周面を円筒面と、クラッチ外輪の内周面を複数のランプ面を有するカム面とし、スリーブがプーリに対して所定の方向に相対回転する傾向となる場合にのみ、回転力を伝達する一方向クラッチでもよい。
【００３０】
また、本発明の一方向クラッチは、本実施形態のようなローラクラッチであってもよく、カムクラッチやスプラグクラッチであってもよい。また、一方向クラッチのクラッチ外輪或いはクラッチ内輪は、本実施形態のようにプーリ或いはスリーブと別体であってもよく、プーリ或いはスリーブと一体、即ち、プーリの内周面或いはスリーブの外周面によって構成されてもよい。
【００３１】
さらに、本発明の一対のサポート軸受は、深溝玉軸受以外の形式であってもよく、ころ軸受や、玉軸受ところ軸受の組合せであってもよい。また、サポート軸受の内輪或いは外輪も、プーリ或いはスリーブと一体、即ち、プーリの内周面或いはスリーブの外周面によって構成されてもよい。
【図面の簡単な説明】
【００３２】
【図１】（ａ）は本発明の第１実施形態に係る一方向クラッチ内蔵型プーリ装置、自動車補機、ナット、及び工具を示す図である。
【図２】一方向クラッチ内蔵型プーリ装置の自動車補機への組付け過程を示す図である。
【図３】一方向クラッチ内蔵型プーリ装置の自動車補機への組付け過程を示す図である。
【図４】一方向クラッチ内蔵型プーリ装置の自動車補機への組付け過程を示す図である。
【図５】一方向クラッチ内蔵型プーリ装置の自動車補機への組付け過程を示す図である。
【図６】従来の一方向クラッチ内蔵型プーリ装置を示す図である。
【図７】一方向クラッチ内蔵型プーリ装置の自動車補機への組付け過程を示す図である。
【図８】他の従来の一方向クラッチ内蔵型プーリ装置を示す図である。
【図９】本発明の一方向クラッチ内蔵型プーリ装置の変形例を示す図である。
【符号の説明】
【００３３】
１０  一方向クラッチ内蔵型プーリ装置
１１  スリーブ
１１ａ  円筒孔部
１１ｂ  工具孔部
１２  プーリ
１３  一方向クラッチ
１４  サポート軸受
３０  回転軸
３１  ナット
Ａ  自動車補機
【図１】
2007198537.tif 000003
【図２】
2007198537.tif 000004
【図３】
2007198537.tif 000005
【図４】
2007198537.tif 000006
【図５】
2007198537.tif 000007
【図６】
2007198537.tif 000008
【図７】
2007198537.tif 000009
【図８】
2007198537.tif 000010
【図９】
2007198537.tif 000011